(57)【要約】【課題】横架材のたわみ量を抑えることが可能な柱と横架材との接続構造及び接続具を提供する。【解決手段】柱４と横架材５との接続構造は、柱４と、柱４の上端面に載る横架材５と、柱４と横架材５とを接続する接続具７と、を備えた柱４と横架材５との接続構造である。接続具７は、少なくとも一つの第一取付け部７３と、対向部７４と、少なくとも一つの第二取付け部７５とを備える。第一取付け部７３は、柱４の側面に対向し、当該側面に取り付けられる。対向部７４は、第一取付け部７３に設けられ、横架材５の下面に対向する。第二取付け部７５は、対向部７４に設けられ、横架材５の側面に対向し、当該側面に取り付けられる。【選択図】図８
2020070638.tif 000002
【特許請求の範囲】
【請求項１】
柱と、
前記柱の上端面に載る横架材と、
前記柱と前記横架材とを接続する接続具と、
を備えた柱と横架材との接続構造であって、
前記接続具は、
前記柱の側面に対向し、当該側面に取り付けられる少なくとも一つの第一取付け部と、
前記第一取付け部に設けられ、前記横架材の下面に対向する対向部と、
前記対向部に設けられ、前記横架材の側面に対向し、当該側面に取り付けられる少なくとも一つの第二取付け部と、
を有する、
柱と横架材との接続構造。
【請求項２】
前記第二取付け部を一対有し、
前記一対の第二取付け部は、前記横架材の一対の側面に対して、一対一で取り付けられている、
請求項１に記載の柱と横架材との接続構造。
【請求項３】
前記第一取付け部と前記対向部とが直交する、
請求項１又は請求項２に記載の柱と横架材との接続構造。
【請求項４】
前記対向部と前記第二取付け部とが直交する、
請求項１〜３のいずれか一つに記載の柱と横架材との接続構造。
【請求項５】
前記横架材が梁である、
請求項１〜４のいずれか一つに記載の柱と横架材との接続構造。
【請求項６】
前記柱としての第一柱に対し間隔をおいて配置され、前記第一柱よりも高い第二柱と、
前記第二柱の側面に取り付けられ、前記横架材の長手方向の端部を支持する接合具と、
を更に備え、
前記第二柱の屋外側の面と前記横架材の屋外側の面とは面一である、
請求項１〜５のいずれか一つに記載の柱と横架材との接続構造。
【請求項７】
前記横架材が上端面に載る前記柱を複数備える、
請求項１〜６のいずれか一つに記載の柱と横架材との接続構造。
【請求項８】
柱に対して、前記柱の上端面に載る横架材を固定するための接続具であって、
前記柱の側面に対向し、当該側面に取り付けられる少なくとも一つの第一取付け部と、
前記第一取付け部に設けられ、前記横架材の下面に対向する対向部と、
前記対向部に設けられ、前記横架材の側面に対向し、当該側面に取り付けられる少なくとも一つの第二取付け部と、
を備える、
接続具。
【発明の詳細な説明】
【技術分野】
【０００１】
本発明は、柱と横架材との接続構造、及び接続具に関する。
【背景技術】
【０００２】
特許文献１には、従来の柱と横架材との接続構造が開示されている。この特許文献１記載の柱と梁との接続構造は、複数の柱の間に梁が取り付けられている。梁は、その長手方向の両端で、柱で支持されており、いわゆる単純梁を構成している。
【先行技術文献】
【特許文献】
【０００３】
【特許文献１】特開２０１７−１１５３０７号公報
【発明の概要】
【発明が解決しようとする課題】
【０００４】
ところで、上記特許文献１記載の建物の屋根に対し、積雪等が起こると、梁に対して下方向の外力が掛かる。このとき、上記特許文献１記載の梁にはたわみが生じるが、たわみ量については、より抑えることが望まれている。
【０００５】
本発明は、上記事情に鑑みてなされ、横架材のたわみ量を抑えることが可能な柱と横架材との接続構造、及び接続具を提供することを目的とする。
【課題を解決するための手段】
【０００６】
本発明に係る一態様の柱と横架材との接続構造は、柱と、前記柱の上端面に載る横架材と、前記柱と前記横架材とを接続する接続具と、を備えた柱と横架材との接続構造である。前記接続具は、少なくとも一つの第一取付け部と、対向部と、少なくとも一つの第二取付け部と、を有する。第一取付け部は、前記柱の側面に対向し、当該側面に取り付けられる。対向部は、前記第一取付け部に設けられ、前記横架材の下面に対向する。第二取付け部は、前記対向部に設けられ、前記横架材の側面に対向し、当該側面に取り付けられる。
【０００７】
本発明に係る一態様の接続具は、柱に対して、前記柱の上端面に載る横架材を固定するための接続具である。接続具は、少なくとも一つの第一取付け部と、対向部と、少なくとも一つの第二取付け部と、を有する。第一取付け部は、前記柱の側面に対向し、当該側面に取り付けられる。対向部は、前記第一取付け部に設けられ、前記横架材の下面に対向する。第二取付け部は、前記対向部に設けられ、前記横架材の側面に対向し、当該側面に取り付けられる。
【発明の効果】
【０００８】
本発明に係る上記態様の柱と横架材との接続構造及び接続具は、横架材のたわみ量を抑えることができる、という利点がある。
【図面の簡単な説明】
【０００９】
【図１】図１は、本発明の一実施形態の建物の斜視図である。
【図２】図２は、同上の見取り図である。
【図３】図３は、同上の基礎の断面図である。
【図４】図４Ａは、同上の基礎に係る部分、屋根に係る部分の鉛直断面図である。図４Ｂは、図４のＤ部分拡大図である。
【図５】図５は、同上の梁の平面図である。
【図６】図６Ａは、図５のＡ部分の斜視図である。図６Ｂは、図６Ａの側面図である。図６Ｃは、第一接合具の斜視図である。
【図７】図７Ａは、図５のＢ部分の斜視図である。図７Ｂは、図７Ａの側面図である。図７Ｃは、第一接続具の斜視図である。
【図８】図８Ａは、図５のＣ部分の斜視図である。図８Ｂは、図８Ａの側面図である。図８Ｃは、第二接続具の斜視図である。図８Ｄは、小梁受け具の斜視図である。
【図９】図９は、同上の出隅部分の水平断面図である。
【図１０】図１０は、同上の壁パネルの斜視図である。
【図１１】図１１は、同上の屋根の横方向の端部の鉛直断面図である。
【図１２】図１２は、接続具の変形例の斜視図である。
【図１３】図１３Ａは、変形例の梁の平面図である。図１３Ｂは、他の変形例の梁の平面図である。
【発明を実施するための形態】
【００１０】
（１）実施形態
（１．１）概要
本実施形態に係る柱４と横架材５との接続構造は、連続梁に係る構造であって、横架材５の複数の支点のうちの中間の支点における接続構造である。ここでいう「中間の支点」とは、横架材５を支持する複数の支点のうち、横架材５の長手方向において、最も端に位置する支点以外の少なくとも一つの支点を意味し、単数であっても複数であってもよい。柱４と横架材５との接続構造は、図８Ａに示すように、柱４と、横架材５と、接続具７と、を備える。
【００１１】
接続具７は、柱４と、柱４の上端面に載った横架材５とを接続する部材である。接続具７は、図８Ｃに示すように、第一取付け部７３と、対向部７４と、第二取付け部７５とを備える。第一取付け部７３は、柱４の側面に対向しており、当該側面に取り付けられる。対向部７４は、第一取付け部７３に設けられており、横架材５の下面に対向する。第二取付け部７５は、対向部７４に設けられており、横架材５の側面に対向する。第二取付け部７５は、横架材５の側面に取り付けられる。
【００１２】
このため、本実施形態に係る柱４と横架材５との接続構造によれば、横架材５を連続梁に係る構造にすることで、複数の単純梁をつなげた構造よりも、横架材５のたわみ量を減らすことができる。そのうえ、本実施形態では、中間の支点における柱４と横架材５とを、接続具７で互いに固定することができ、横架材５が柱４の上端面から脱落することを抑えることができる。
【００１３】
（１．２）詳細
以下、本実施形態に係る柱４と横架材５との接続構造について、詳細に説明する。本開示では、図１に示すように、屋根９の勾配方向を「流れ方向」として定義し、流れ方向において上側の端部を「水上」とし、下側の端部を「水上」として定義する。また、流れ方向に直交する方向を、「横方向」として定義する。
【００１４】
図１は、本実施形態の柱４と横架材５との接続構造が適用された建物１の全体図である。本実施形態に係る建物１は、植物工場であって、比較的大規模なものであり、例えば、上方からみて（以下、平面視）一辺が１０ｍ以上である矩形状に形成されており、建築面積が１２０ｍ２以上に形成されている。
【００１５】
ただし、本開示では、建物１は、植物工場でなくてもよく、店舗、倉庫、製造工場、あるいは集会場等の非住宅建築物、又は住宅建築物等であってもよい。また、本開示では、建築物の建築面積は１２０ｍ２以下であってもよい。また、本実施形態では、建物１は平屋であるが、２階建て以上であってもよい。
【００１６】
建物１は、本実施形態では、図２に示すように、間仕切り壁２６を有する。間仕切り壁２６は、建物１の内部を仕切る壁である。建物１の内部は、間仕切り壁２６によって、植物育成室２０と、それ以外の複数の部屋とに仕切られている。間仕切り壁２６は、本実施形態では、複数のサンドイッチパネルで構成されている。
【００１７】
植物育成室２０は、複数の栽培棚２０１が設置される部屋である。栽培棚２０１には、植物が植えられた容器が載る。栽培棚２０１に載る容器は、本実施形態では、水耕栽培用の水槽であるが、土耕栽培用の容器であってもよい。本実施形態に係る各栽培棚２０１には、植物に光を放射するＬＥＤ照明が取り付けられる。本実施形態に係る栽培棚２０１では、ＬＥＤ照明から放射される光によって、植物を効果的に育成することができる。本実施形態では、植物育成室２０には、採光用の窓は存在しない。
【００１８】
建物１は、植物育成室２０以外の部屋を複数有する（以下、植物育成室２０以外の部屋を「複数の部屋」という）。複数の部屋は、本実施形態では、更衣室２１、エアシャワー室２２、前室２３（準備室）、及び機械室２４（管理室）である。更衣室２１は、出入口２５につながっている。前室２３は植物育成室２０と更衣室２１とにつながっている。本実施形態では、複数の部屋の総面積は、植物育成室２０の面積よりも狭い。
【００１９】
建物１は、基礎３の上に設置される。本実施形態に係る基礎３は、図３に示すように、いわゆるベタ基礎であり、複数の平坦部３１と、各平坦部３１の外周部から立ち上げられた立上げ部３２とを備える。複数の平坦部３１は、植物育成室２０と、複数の部屋とに対応している。ただし、本開示では、基礎３は、ベタ基礎に限らず、例えば、布基礎であってもよい。
【００２０】
建物１は、本実施形態では、基礎３に対して固定された複数の土台３３と、複数の柱４と、複数の横架材５（図４Ａ）と、外壁８（図４Ａ）と、屋根９（図４Ａ）と、を備える。
【００２１】
土台３３の下面は、図４Ａに示すように、立上げ部３２の上端面に対向しており、土台３３は立上げ部３２に載っている。土台３３の長手方向は、水平面に沿っている。土台３３の屋内方向に向く面（屋内側の面３３１）は、本実施形態では、立上げ部３２の屋内方向に向く面（屋内側の面３２１）と同一平面上に位置する。土台３３の屋外方向に向く面（屋外側の面３３２）は、立上げ部３２の屋外方向に向く面（屋外側の面３２２）よりも、屋内方向に位置する。
【００２２】
ここで、本開示でいう「屋内方向」とは、屋外の任意の位置から屋内の任意の位置に向かい、かつ外壁８に直交する方向を意味する。また、「屋外方向」とは、当該屋内方向とは反対方向を意味する。
【００２３】
土台３３は、本実施形態では、金属製である。土台３３は、例えば、一般構造用角形鋼管、溝形鋼、又はＨ形鋼等で構成される。ただし、本開示では、土台３３は、金属製に限らず、木材であってもよい。
【００２４】
土台３３の屋外側の面３３２には、外壁８を構成する壁パネル８０の下端部が、ドリルビス等の固定具によって取り付けられている。これによって、壁パネル８０の下端部は、土台３３に対して固定されている。固定具は、壁パネル８０の下端部において、屋外方向を向く面（外壁面）から屋内方向に貫通し、土台３３に打ち込まれている。
【００２５】
土台３３と壁パネル８０との間には、パネル受け具３４と、土台水切り３５とが取り付けられている。パネル受け具３４は、Ｌ字状に形成されており、壁パネル８０の下端面を支持する。土台水切り３５は、パネル受け具３４と土台３３との間に取り付けられている。パネル受け具３４及び土台水切り３５は、固定具によって、土台３３に取り付けられている。
【００２６】
柱４は、横架材５（ここでは梁５０）を支える。柱４の長手方向は上下方向に平行である。柱４は、本実施形態では、断面矩形状であり、具体的には、一般構造用角形鋼管であって金属製である。ただし、本開示では、柱４は、溝形鋼、又はＨ形鋼等であってもよいし、金属製に限らず、木製の角材等であってもよい。
【００２７】
複数の柱４のうち、立上げ部３２に対応する柱４は、図３に示すように、土台３３の上面に対し、固定具によって、取り付けられている。また、複数の柱４のうち、平坦部３１に対応する柱４は、平坦部３１の上面に対し、アンカーボルト等の固定具によって、取り付けられている。本開示では、土台３３の上面に取り付けられる柱４は、土台３３に対して溶接によって取り付けられてもよい。
【００２８】
図５に示すように、複数の柱４は、横架材５の長手方向の端部を支持する柱（第二柱４ｂ）と、横架材５の長手方向の中間部分を支持する柱（第一柱４ａ）と、を備える。第二柱４ｂは、本実施形態では、建物１の四隅に配置されている。第二柱４ｂの上端は、第一柱４ａの上端よりも上方向に位置しており、要するに、第二柱４ｂは第一柱４ａよりも高い。
【００２９】
横架材５は、図４Ａに示すように、長手方向が水平面に沿う材である。横架材５は、本実施形態では、梁５０である。本開示でいう「梁５０」は、屋根９等の重さを支える水平材を意味し、桁を含む。梁５０は、本実施形態では、断面矩形状であり、具体的には、一般構造用角形鋼管であって金属製である。ただし、本開示では、梁５０は、溝形鋼、又はＨ形鋼等であってもよいし、金属製に限らず、木製の角材等であってもよい。ここで、図５には、複数の梁５０の平面図を示す。本実施形態に係る建物１は、複数の梁５０として、複数の大梁５１と、複数の小梁５４とを備える。
【００３０】
大梁５１は、少なくとも一つの柱４によって、支持された梁５０である。大梁５１は、本実施形態では、長手方向の両端において、柱４（第二柱４ｂ）又は大梁５１によって支持され、かつ、長手方向の中間部分で、一又は複数の柱４（第一柱４ａ）によって支持されている。要するに、本実施形態に係る大梁５１は、連続梁を構成している。大梁５１は、本実施形態では、平面視で外周を構成する複数の第一梁５２と、第一梁５２の内側に配置された複数の第二梁５３とを備える。
【００３１】
ここで、本開示でいう「支持される」とは、対象物が直接的に支持されることのほか、対象物が、他部材を介して間接的に支持されることも含む。例えば、第一梁５２は、柱４に対して、第一接合具６１によって取り付けられているが、この場合、柱４に支持されることに含まれる。
【００３２】
第一梁５２は、建物１の一端から他端まで連続しており、長手方向の両端が柱４で支持され、かつ、中間部の少なくとも一箇所で支持された連続梁である。複数の第一梁５２は、平面視で矩形枠状に形成される。第一梁５２の長手方向の端部は、図６Ａに示すように、柱４の側面に対して、接合具６によって取り付けられている。以下、柱４の側面に取り付けられる接合具６を「第一接合具６１」として説明する。
【００３３】
第一接合具６１は、取付け面（ここでは柱４の側面）に対して横架材５（ここでは、第一梁５２）の長手方向の端部を接続する。第一接合具６１は、本実施形態では、金属板を曲げ加工することで形成されている。ただし、本開示では、第一接合具６１は、各部を溶接することで形成してもよい。第一接合具６１の材料としては、鋼板、スチール、鉄、又はチタン等の金属板のほか、合成樹脂等で形成されてもよい。第一接合具６１は、本実施形態では、図６Ｃに示すように、固定部６３と、受け部６４と、梁取付け部６５とを備える。
【００３４】
固定部６３は、取付け面（ここでは柱４の側面）に取り付けられる部分である。固定部６３は平板状に形成されており、その一側面が柱４の側面に対向する。また、固定部６３の他側面は、梁５０の長手方向の端面に対向する。固定部６３には、本実施形態では、複数の貫通孔が形成されている。固定部６３は、柱４の側面に対して、ねじ、釘又はボルト等の固定具を介して取り付けられる。
【００３５】
受け部６４は、梁５０を受ける部分である。受け部６４は、固定部６３の下端部に設けられている。受け部６４は、平板状に形成されており、その上面が柱４の下面に対向する。受け部６４と固定部６３とは直交している。図６Ｂに示すように、受け部６４の屋外方向に向く面（屋外側の面６４１）と、固定部６３の屋外方向に向く面（屋外側の面６３１）とは、同一平面上に位置しており、柱４の屋外側の面と面一となるように配置される。
【００３６】
梁取付け部６５は、梁５０の屋内方向に向く面（屋内側の面５２０）に取り付けられる部分である。梁取付け部６５は、固定部６３の屋内側の端部に設けられている。梁取付け部６５は、平板状に形成されており、その一側面が梁５０の屋内側の面５２０に対向する。梁取付け部６５は、固定部６３の屋内側の端部につながっており、梁５０からの荷重を受けると、当該荷重を直接的に固定部６３に伝達し得る。梁取付け部６５には、本実施形態では、複数（ここでは４つ）の貫通孔が形成されている。梁取付け部６５は、梁５０の屋内側の面５２０に対して、ねじ、釘又はボルト等の固定具を介して取り付けられる。貫通孔の数量は、固定部における貫通孔の数量と同じであることが好ましい。
【００３７】
ここで、本開示でいう「直交する」とは、二つの平面（又は、一平面と一直線、あるいは二つの直線）が、厳密に９０°である場合のみを意味するのではなく、建築上許容される範囲も含むものとする。本開示でいう「直交する」範囲は、例えば、９０°±５°の範囲を含み得る。ただし、本実施形態において、受け部６４と固定部６３との直交は、９０°±１°であることが好ましい。
【００３８】
柱４の側面に取り付けられた第一接合具６１に対し、第一梁５２が取り付けられると、図６Ｂに示すように、第一梁５２の屋外側の面５２１は、柱４の屋外側の面（４１）に面一となる。また、第一梁５２の上面は、柱４の上端面と面一となる。
【００３９】
本開示でいう「面一」とは、２平面が同一平面であるとみなせることを意味する。例えば、２平面において２ｍｍ以下の段差がある場合や、２平面の間に５ｍｍ程度の隙間がある場合も、本開示でいう「面一」の範疇である。
【００４０】
第一梁５２は、図５に示すように、長手方向の中間部の少なくとも一箇所（本実施形態では、複数箇所）において、柱４（第一柱４ａ）の上端面に載っている。第一梁５２の中間部（例えば、図５のＢ部分）は、図７Ａに示すように、柱４（第一柱４ａ）の上端面に載った状態で、接続具７によって取り付けられている。
【００４１】
接続具７は、柱４（第一柱４ａ）と横架材５（ここでは第一梁５２）とを接続し、柱４に対して横架材５を固定する。より具体的には、接続具７は、柱４の上端面に横架材５が載った状態で、柱４と横架材５とを接続する。接続具７は、本実施形態では、図７Ｃに示すように、金属板を曲げ加工することで形成されている。ただし、本開示では、接続具７は、各部を溶接で接合することで形成してもよい。接続具７の材料としては、鋼板、スチール、鉄、又はチタン等の金属板のほか、合成樹脂等で形成されてもよい。接続具７について、本実施形態に係る建物１では２種類あるため、接続具７を、第一接続具７１と、第二接続具７２として区別する。
【００４２】
第一接続具７１は、第一梁５２の中間部分と柱４（第一柱４ａ）とを接続する接続具７である。第二接続具７２は、後述するが、第二梁５３の中間部分と柱４とを接続する接続具７である。第一接続具７１は、図７Ｃに示すように、第一取付け部７３と、対向部７４と、第二取付け部７５とを備える。
【００４３】
第一取付け部７３は、柱４の側面に取り付けられる部分である。第一取付け部７３は平板状に形成されており、その一側面が柱４の側面に対向する。また、第一取付け部７３は、梁５０の下方に位置する。第一取付け部７３には、本実施形態では、複数の貫通孔が形成されている。第一取付け部７３は、柱４の側面に対して、ねじ、釘又はボルト等の固定具によって取り付けられる。
【００４４】
対向部７４は、図７Ａに示すように、梁５０を受ける部分である。対向部７４は、第一取付け部７３の上端部に設けられている。対向部７４は、平板状に形成されており、その上面が梁５０の下面に対向する。対向部７４と第一取付け部７３とは直交している。図７Ｂに示すように、対向部７４の屋外方向に向く面（屋外側の面７４１）と、第一取付け部７３の屋外方向に向く面（屋外側の面７３１）とは、同一平面上に位置しており、柱４の屋外側の面と面一となるように配置される。
【００４５】
第二取付け部７５は、図７Ａに示すように、梁５０（第一梁５２）の側面に取り付けられる部分であり、具体的には、梁５０の屋内側の面５２０に取り付けられる。第二取付け部７５は、対向部７４の屋内側の端部に設けられている。第二取付け部７５は、平板状に形成されており、その一側面が梁５０の屋内側の面５２０に対向する。第二取付け部７５は、対向部７４に対して直交している。第二取付け部７５には、本実施形態では、複数の貫通孔が形成されている。第二取付け部７５は、梁５０の屋内側の面５２０に対して、ねじ、釘又はボルト等の固定具を介して取り付けられる。
【００４６】
第二梁５３は、長手方向の両方の端部が第一梁５２で支持され、かつ、中間部の少なくとも一箇所（ここでは２箇所）で支持された連続梁である。第二梁５３の長手方向の端部は、第一梁５２の側面に対して、接合具６によって取り付けられている。以下、第一梁５２の側面に取り付けられる接合具６を、「第二接合具６２」として説明する。
【００４７】
第二接合具６２は、図７Ａに示すように、取付け面（ここでは、第一梁５２の屋内側の面５２０）に対して横架材５（ここでは、第二梁５３）の長手方向の端部を接続する。第二接合具６２は、本実施形態では、金属板を曲げ加工することで形成されている。ただし、本開示では、第二接合具６２は、各部を溶接することで形成してもよい。第二接合具６２の材料としては、鋼板、スチール、鉄、又はチタン等の金属板のほか、合成樹脂等で形成されてもよい。第二接合具６２は、本実施形態では、固定部６３０と、一対の梁取付け部６５０とを備え、平面視略コ字状に形成されている。
【００４８】
固定部６３０は、取付け面（ここでは第一梁５２の屋内側の面５２０）に取り付けられる部分である。固定部６３０は平板状に形成されており、その一側面が第一梁５２の側面に対向する。また、固定部６３０の他側面は、第二梁５３の長手方向の端面に対向する。固定部６３０には、本実施形態では、複数の貫通孔（ここでは２つ）が形成されている。固定部６３０は、第一梁５２の側面に対して、ねじ、釘又はボルト等の固定具を介して取り付けられる。
【００４９】
梁取付け部６５０は、第二梁５３の側面に取り付けられる部分である。梁取付け部６５０は、固定部６３０の幅方向の端部に設けられている。梁取付け部６５０は、平板状に形成されており、その一側面が第二梁５３の側面に対向する。梁取付け部６５０には、本実施形態では、複数の貫通孔（ここでは４つ）が形成されている。梁取付け部６５は、第二梁５３の側面に対して、ねじ、釘又はボルト等の固定具を介して取り付けられる。
【００５０】
第一梁５２の側面に取り付けられた第二接合具６２に対し、第二梁５３が取り付けられると、第二梁５３の上面は、第二梁５３の上面に面一となる。
【００５１】
第二梁５３は、図５に示すように、長手方向の中間部の少なくとも一箇所（本実施形態では、複数箇所）において、柱４の上端面に載っている。第二梁５３の中間部（例えば、図５のＣ部分）は、図８Ａに示すように、柱４の上端面に載った状態で、第二接続具７２によって取り付けられている。第二接続具７２は、図８Ｃに示すように、第一取付け部７３と、対向部７４と、一対の第二取付け部７５とを備える。第二接続具７２における第一取付け部７３及び対向部７４は、第一接続具７１と同じ構成である。ここでは、第一接続具７１と異なる第二取付け部７５について、主に説明する。
【００５２】
一対の第二取付け部７５は、図８Ａに示すように、梁５０（第二梁５３）の両側面に取り付けられる部分である。一対の第二取付け部７５は、第二梁５３の一対の側面に対して、一対一で取り付けられる。各第二取付け部７５は、対向部７４の幅方向（第二梁５３の長手方向に直交しかつ水平面に沿う方向）の端部に設けられている。各第二取付け部７５は、平板状に形成されており、その一側面が第二梁５３の各側面に対向する。各第二取付け部７５は、対向部７４に対して直交している。第二取付け部７５には、本実施形態では、複数の貫通孔が形成されている。第二取付け部７５は、梁５０の側面に対して、ねじ、釘又はボルト等の固定具を介して取り付けられる。
【００５３】
複数の小梁５４は、図５に示すように、互いに平行な一対の大梁５１に架け渡された梁５０である。各小梁５４の長手方向は、第二梁５３の長手方向に直交する。小梁５４は、図８Ａに示すように、第二梁５３に対し、小梁受け具６６によって取り付けられる。
【００５４】
小梁受け具６６は、第二梁５３の側面に対して小梁５４の長手方向の端部を接続する。小梁受け具６６は、本実施形態では、金属板を曲げ加工することで形成されている。ただし、本開示では、小梁受け具６６は、各部を溶接することで形成してもよい。小梁受け具６６の材料としては、鋼板、スチール、鉄、又はチタン等の金属板のほか、合成樹脂等で形成されてもよい。小梁受け具６６は、図８Ｄに示すように、固定板６６１と、受け板６６２と、一対の取付け板６６３とを備える。
【００５５】
固定板６６１は、第二梁５３の側面に取り付けられる。固定板６６１は平板状に形成されており、その一側面が第二梁５３の側面に対向する。また、固定板６６１の他側面は、小梁５４の長手方向の端面に対向する。固定板６６１には、本実施形態では、複数の貫通孔が形成されている。固定板６６１は、第二梁５３の側面に対して、ねじ、釘又はボルト等の固定具を介して取り付けられる。
【００５６】
受け板６６２は、図８Ａに示すように、小梁５４を受ける。受け板６６２は、固定板６６１の下端部に設けられている。受け板６６２は、平板状に形成されており、その上面が小梁５４の下面に対向する。受け板６６２は、固定板６６１及び取付け板６６３に対して直交している。
【００５７】
取付け板６６３は、小梁５４の側面に取り付けられる。各取付け板６６３は、固定板６６１及び受け板６６２の幅方向の端部に設けられている。各取付け板６６３は、平板状に形成されており、その一側面が小梁５４の側面に対向する。取付け板６６３には、本実施形態では、複数の貫通孔が形成されている。取付け板６６３は、小梁５４の側面に対して、ねじ、釘又はボルト等の固定具を介して取り付けられる。
【００５８】
取付け板６６３は、固定板６６１の幅方向の端部につながっており、小梁５４からの荷重を受けると、当該荷重を直接的に固定板６６１に伝達し得る。
【００５９】
図１に示すように、外壁８は、建物１の外周をなす壁である。外壁８は、本実施形態では、複数の壁パネル８０で構成される。本実施形態に係る外壁８は、縦張り施工された複数の壁パネル８０で構成されている。ただし、本開示では、外壁８は横張り施工された複数の壁パネル８０で構成されてもよい。各壁パネル８０は、本実施形態では、耐力壁である。
【００６０】
壁パネル８０は、図４Ａに示すように、梁５０の外側の面と、土台３３の外側の面とにわたって、ドリルビス等の固定具によって、取り付けられている。本実施形態では、壁パネル８０の上端部には、軒樋８６が取り付けられている。ここで、図９には、建物１の出隅部分の水平断面図を示す。図９に示すように、壁パネル８０は、柱４の外側の面にドリルビス等の固定具によって、取り付けられている。要するに、壁パネル８０は、横架材５の外側の面と、土台３３の外側の面と、柱４の屋外側の面と、に対して固定されているため、水平荷重を伝達する構造部材として作用しやすい。
【００６１】
なお、壁パネル８０と柱４との間には出隅塞ぎ部材８７が設けられている。出隅塞ぎ部材８７は、下地部材８７１と、出隅部材８７２とを備える。下地部材８７１は、隣り合う壁パネル８０でなすコーナ部分の外面に取り付けられている。出隅部材８７２は、下地部材８７１に取り付けられている。出隅部材８７２の端部と壁パネル８０の外面との間にはシーリング材８７３が設けられている。
【００６２】
壁パネル８０は、本実施形態では、図１０に示すように、サンドイッチパネルである。壁パネル８０の幅方向の一方の端部には、嵌合凸部８１が形成され、他方の端部には嵌合凹部８２が形成されている。隣り合う一対のサンドイッチパネルは、嵌合凸部８１と嵌合凹部８２とを嵌め合うことで接続される。
【００６３】
壁パネル８０は、一対の金属外皮８３，８４の間に芯材８５が挟まったパネルである。壁パネル８０は、本実施形態では、表側金属外皮８３と、裏側金属外皮８４と、芯材８５とを備える。
【００６４】
表側金属外皮８３及び裏側金属外皮８４の各々は、本実施形態では、平板状に形成されている。表側金属外皮８３及び裏側金属外皮８４は、金属板の成形品であり、例えば、金属板をロール成形により成形して形成されている。金属板としては、鋼板、ステンレス鋼板、亜鉛めっき鋼板、塗装鋼板、ガルバリウム鋼板（登録商標）、エスジーエル(登録商標)鋼板等が挙げられる。金属板の厚みは、０．２〜２．０ｍｍが好ましい。
【００６５】
芯材８５は、断熱性及び不燃性を有する。ここでいう「断熱性」とは、所定の断熱試験に合格する程度の断熱性を意味する。また、「不燃性」とは、所定の不燃性試験に合格する程度の不燃性を意味する。芯材８５は、本実施形態では、ロックウール又はグラスウール等の無機繊維材料で形成されている。ただし、本開示では、芯材８５は、ウレタンフォームやフェノールフォームなどの樹脂発泡体であってもよいし、石膏ボードや珪酸カルシウムボードなどの板材と、無機繊維材料又は樹脂発泡体と、を組み合わせた複合材であってもよい。本開示に係る芯材８５は、例えば、板材と、無機繊維材料又は樹脂発泡体と、を層状に重ねて形成することができる。芯材８５の厚みは、１０〜１００ｍｍが好ましい。
【００６６】
壁パネル８０は、一般的には、非構造部材（非耐力部材）として分類されるが、本実施形態では、壁パネル８０は、建物１に作用する水平荷重を柱４と梁５０との間で伝達する構造部材として機能する。
【００６７】
図１１には、建物１の横方向の端部の断面図を示す。壁パネル８０の上端部は梁５０の屋外側の面に対して、ドリルビス等の固定具によって、取り付けられている。梁５０の上面には、屋根９を構成する屋根パネル９１の下面が対向する。屋根パネル９１と壁パネル８０との間は塞ぎ部材９４により覆われている。塞ぎ部材９４の外側には、水切り９３が設けられている。
【００６８】
屋根９は、図１に示すように、複数の屋根パネル９１と、複数の屋根パネル９１を覆う防水シート９２とを備える。複数の屋根パネル９１の各々は、本実施形態では、上述のサンドイッチパネル（壁パネル８０）と同じ構造である。屋根パネル９１は、幅方向が流れ方向と平行となり、長さ方向が横方向と平行となるように配置される。
【００６９】
このような構成の建物１は、横架材５が、連続梁に係る構造であるため、複数の単純梁をつなげた構造よりも、柱４間における横架材５のたわみ量を減らすことができる。そのうえ、本実施形態では、中間の支点における柱４と横架材５とを、接続具７で互いに固定することができ、梁５０が柱４の上端面から脱落することを抑えることができる。
【００７０】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００７１】
上記実施形態では、接続具７は、一つの第一取付け部７３を有していたが、本開示では、図１２に示すように、複数（ここでは二つ）の第一取付け部７３を有してもよい。この場合、複数の第一取付け部７３の各々は、柱４の側面に対向し、当該側面に取り付けられる。対向部７４は、柱４の上端面に載る。
【００７２】
上記実施形態では、大梁５１として、平面視で外周を構成する梁（第一梁５２）と、第一梁５２の内側に配置された複数の第二梁５３と、を備えたが、図１３Ａに示すような態様であってもよい。図１３Ａに示す変形例では、横架材５として、横方向に沿って延びる複数の大梁５２ａと、各大梁５２ａをつなぐ複数の小梁５４と、を備える。小梁５４の長手方向は、平面視において流れ方向に沿っている。各大梁５２ａの両端部は、第二柱４ｂに取り付けられている。各大梁５２ａの長手方向の中間部分は、第一柱４ａの上端面に載る。要するに、本変形例に係る大梁５２ａは、３点支持梁であって、２スパン連続梁である。また、図１３Ｂに示すように、４点支持梁であって、３スパン連続梁であってもよい。すなわち、本開示に係る柱４と横架材５との接続構造では、横架材５が載る柱４（４ａ）を複数備えてもよい。
【００７３】
上記実施形態では、横架材５は梁５０であったが、本開示に係る横架材５は胴差であってもよく、梁５０に限定されない。
【００７４】
上記実施形態では、対向部７４は、横架材５に対して取り付けられていないが、本開示では、対向部７４は、横架材５に対して、固定具によって固定されてもよい。
【００７５】
（３）態様
以上説明したように、第１の態様に係る柱（４）と横架材（５）との接続構造は、柱（４）と、柱（４）の上端面に載る横架材（５）と、柱（４）と横架材（５）とを接続する接続具（７）と、を備えた柱（４）と横架材（５）との接続構造である。接続具（７）は、少なくとも一つの第一取付け部（７３）と、対向部（７４）と、少なくとも一つの第二取付け部（７５）とを備える。第一取付け部（７３）は、柱（４）の側面に対向し、当該側面に取り付けられる。対向部（７４）は、第一取付け部（７３）に設けられ、横架材（５）の下面に対向する。第二取付け部（７５）は、対向部（７４）に設けられ、横架材（５）の側面に対向し、当該側面に取り付けられる。
【００７６】
この態様によれば、連続梁に係る構造にすることで、複数の単純梁をつなげた構造よりも、横架材（５）のたわみ量を減らすことができる。そのうえ、中間の支点における柱（４）と横架材（５）とを、接続具（７）で互いに固定することができ、横架材（５）が柱（４）の上端面から脱落することを抑えることができる。
【００７７】
第２の態様に係る柱（４）と横架材（５）との接続構造では、第１の態様において、第二取付け部（７５）を一対有する。一対の第二取付け部（７５）は、横架材（５）の一対の側面に対して、一対一で取り付けられる。
【００７８】
この態様によれば、柱（４）に対して、横架材（５）がずれるのをより一層抑えることができる。
【００７９】
第３の態様に係る柱（４）と横架材（５）との接続構造では、第１又は第２の態様において、第一取付け部（７３）と対向部（７４）とが直交する。
【００８０】
この態様によれば、接続具（７）の製造性を向上させることができる上に、接続具（７）を取り付ける際に、第一取付け部（７３）と対向部（７４）とのコーナ部分を、柱（４）と横架材（５）との入隅部に当てることで位置決めすることができ、取り付けやすさの向上を図ることができる。
【００８１】
第４の態様に係る柱（４）と横架材（５）との接続構造では、第１〜第３のいずれか一つの態様において、対向部（７４）と第二取付け部（７５）とが直交する。
【００８２】
この態様によれば、横架材（５）の下面に対向部（７４）が沿うと、第二取付け部（７５）が横架材（５）の側面に対向する。したがって、第二取付け部（７５）の位置決めが容易であり、接続具（７）の取り付けやすさの向上を図ることができる。
【００８３】
第５の態様に係る柱（４）と横架材（５）との接続構造では、第１〜第４のいずれか一つの態様において、横架材（５）が梁（５０）である。
【００８４】
この態様によれば、柱（４）と梁（５０）との接続構造に、接続具（７）を用いることができる。
【００８５】
第６の態様に係る柱（４）と横架材（５）との接続構造では、第１〜第５のいずれか一つの態様において、第二柱（４ｂ）と、接合具（６）とを更に備える。第二柱（４ｂ）は、柱（４）としての第一柱（４ａ）に対して間隔をおいて配置され、第一柱（４ａ）よりも高い。接合具（６）は、第二柱（４ｂ）の側面に取り付けられ、横架材（５）の長手方向の端部を支持する。第二柱（４ｂ）の屋外側の面（４１）と横架材（５）の屋外側の面（５２１）とは面一である。
【００８６】
この態様によれば、第二柱（４ｂ）の屋外側の面（４１）と横架材（５）の屋外側の面（５２１）とが面一であるため、第二柱（４ｂ）と横架材（５）とにわたって壁パネル（８０）等の壁材を取り付けやすい。
【００８７】
第７の態様に係る柱（４）と横架材（５）との接続構造では、第１〜第６のいずれか一つの態様において、横架材（５）が上端面に載る柱（４）を複数備える。
【００８８】
この態様によれば、より長い横架材（５）を用いながらも、横架材（５）のたわみ量を減らすことができる。
【００８９】
第８の態様に係る接続具（７）は、柱（４）に対して、柱（４）の上端面に載る横架材（５）を固定するための接続具（７）である。接続具（７）は、少なくとも一つの第一取付け部（７３）と、対向部（７４）と、少なくとも一つの第二取付け部（７５）とを備える。第一取付け部（７３）は、柱（４）の側面に対向し、当該側面に取り付けられる。対向部（７４）は、第一取付け部（７３）に設けられ、横架材（５）の下面に対向する。第二取付け部（７５）は、対向部（７４）に設けられ、横架材（５）の側面に対向し、当該側面に取り付けられる。
【００９０】
この態様によれば、連続梁に係る構造において、横架材（５）と柱（４）とを接続することができる。このとき、接続具（７）で互いに固定することができるため、横架材（５）が柱（４）の上端面から脱落することを抑えることができる。
【００９１】
第２〜第５の態様に係る構成については、柱（４）と横架材（５）との接続構造に必須の構成ではなく、適宜省略可能である。
【符号の説明】
【００９２】
４        柱
４ａ      第一柱
４ｂ      第二柱
４１      屋外側の面
５        横架材
５０      梁
５２１    屋外側の面
６        接合具
７        接続具
７３      第一取付け部
７４      対向部
７５      第二取付け部
【図１】
2020070638.tif 000003
【図２】
2020070638.tif 000004
【図３】
2020070638.tif 000005
【図４】
2020070638.tif 000006
【図５】
2020070638.tif 000007
【図６】
2020070638.tif 000008
【図７】
2020070638.tif 000009
【図８】
2020070638.tif 000010
【図９】
2020070638.tif 000011
【図１０】
2020070638.tif 000012
【図１１】
2020070638.tif 000013
【図１２】
2020070638.tif 000014
【図１３】
2020070638.tif 000015
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
柱と、
前記柱の上端面に載る横架材と、
前記柱と前記横架材とを接続する接続具と、
を備えた柱と横架材との接続構造であって、
前記接続具は、
前記柱の側面に対向し、当該側面に取り付けられる少なくとも一つの第一取付け部と、
前記第一取付け部に設けられ、前記横架材の下面に対向する対向部と、
前記対向部に設けられ、前記横架材の側面に対向し、当該側面に取り付けられる少なくとも一つの第二取付け部と、
を有し、
前記横架材の側面には、別の横架材が接合具により取り付けられる、
柱と横架材との接続構造。
【請求項２】
前記第二取付け部を一対有し、
前記一対の第二取付け部は、前記横架材の一対の側面に対して、一対一で取り付けられている、
請求項１に記載の柱と横架材との接続構造。
【請求項３】
前記第一取付け部と前記対向部とが直交する、
請求項１又は請求項２に記載の柱と横架材との接続構造。
【請求項４】
前記対向部と前記第二取付け部とが直交する、
請求項１〜３のいずれか一つに記載の柱と横架材との接続構造。
【請求項５】
前記横架材が梁である、
請求項１〜４のいずれか一つに記載の柱と横架材との接続構造。
【請求項６】
前記柱としての第一柱に対し間隔をおいて配置され、前記第一柱よりも高い第二柱と、
前記第二柱の側面に取り付けられ、前記横架材の長手方向の端部を支持する接合具と、を更に備え、
前記第二柱の屋外側の面と前記横架材の屋外側の面とは面一である、
請求項１〜５のいずれか一つに記載の柱と横架材との接続構造。
【請求項７】
前記横架材が上端面に載る前記柱を複数備える、
請求項１〜６のいずれか一つに記載の柱と横架材との接続構造。
【請求項８】
柱に対して、前記柱の上端面に載り、かつ別の横架材が接合具により側面に取り付けられる横架材を固定するための接続具であって、
前記柱の側面に対向し、当該側面に取り付けられる少なくとも一つの第一取付け部と、
前記第一取付け部に設けられ、前記横架材の下面に対向する対向部と、
前記対向部に設けられ、前記横架材の側面に対向し、当該側面に取り付けられる少なくとも一つの第二取付け部と、
を備える、
接続具。
【手続補正２】
【補正対象書類名】明細書
【補正対象項目名】０００６
【補正方法】変更
【補正の内容】
【０００６】
本発明に係る一態様の柱と横架材との接続構造は、柱と、前記柱の上端面に載る横架材と、前記柱と前記横架材とを接続する接続具と、を備えた柱と横架材との接続構造である。前記接続具は、少なくとも一つの第一取付け部と、対向部と、少なくとも一つの第二取付け部と、を有する。第一取付け部は、前記柱の側面に対向し、当該側面に取り付けられる。対向部は、前記第一取付け部に設けられ、前記横架材の下面に対向する。第二取付け部は、前記対向部に設けられ、前記横架材の側面に対向し、当該側面に取り付けられる。前記横架材の側面には、別の横架材が接合具により取り付けられる。
【手続補正３】
【補正対象書類名】明細書
【補正対象項目名】０００７
【補正方法】変更
【補正の内容】
【０００７】
本発明に係る一態様の接続具は、柱に対して、前記柱の上端面に載り、かつ別の横架材が接合具により側面に取り付けられる横架材を固定するための接続具である。接続具は、少なくとも一つの第一取付け部と、対向部と、少なくとも一つの第二取付け部と、を有する。第一取付け部は、前記柱の側面に対向し、当該側面に取り付けられる。対向部は、前記第一取付け部に設けられ、前記横架材の下面に対向する。第二取付け部は、前記対向部に設けられ、前記横架材の側面に対向し、当該側面に取り付けられる。